(57)【要約】【課題】使い勝手の良好な鞄締め付けベルトの提供を目的とする。【解決手段】レバー１の一端部１ａをベルト係合部２に係合するベルト体３に接触させてベルト係合部２からの係合解除方向へのベルト体３の移動に伴って生じる摩擦力によってベルト係合部２にベルト体３を圧接させる方向にレバー１を回転させ、鞄４周りに巻回されたベルト体３の弛緩を防止するバックル５を有し、  該バックル５には、レバー１の回転軸線Ａ方向に対して略直交する側壁部６の頂部６ａよりも低い位置から側方に向かって突出し、鞄４の装着面４ａにほぼ平行な回転軸周りに回転するレバー１を一端部１ａがベルト体３から離間する方向に回転操作可能な操作部７を形成して構成する。【選択図】  図１
2008307267.tif 000002
【特許請求の範囲】
【請求項１】
レバーの一端部をベルト係合部に係合するベルト体に接触させてベルト係合部からの係合解除方向へのベルト体の移動に伴って生じる摩擦力によってベルト係合部にベルト体を圧接させる方向にレバーを回転させ、鞄周りに巻回されたベルト体の弛緩を防止するバックルを有し、
該バックルには、レバーの回転軸線方向に対して略直交する側壁部の頂部よりも低い位置から側方に向かって突出し、鞄の装着面にほぼ平行な回転軸線周りに回転するレバーを一端部がベルト体から離間する方向に回転操作可能な操作部が形成される鞄締め付けベルト。
【請求項２】
レバーの一端部をベルト係合部に係合するベルト体に接触させてベルト係合部からの係合解除方向へのベルト体の移動に伴って生じる摩擦力によってベルト係合部にベルト体を圧接させる方向にレバーを回転させ、鞄周りに巻回されたベルト体の弛緩を防止するバックルを有し、  
該バックルは、ベルト体を弛緩する方向へのレバーの回転操作を禁止するロック部を備える鞄締め付けベルト。
【請求項３】
前記操作部は、レバーの回転軸線方向に進退自在な押しボタンと、
該押しボタンの並進運動をレバーの回転方向の運動に変換する運動方向変換機構とを有し、
かつ、前記バックルは、レバーの回転軸周りに巻装されてレバーをベルト体に接触する方向に付勢するトーションスプリングと、
該トーションスプリングとは別個に設けられて前記押しボタンを反押圧操作方向に付勢する付勢手段とを有する請求項１記載の鞄締め付けベルト。
【発明の詳細な説明】
【技術分野】
【０００１】
本発明は鞄締め付けベルトに関するものである。
【背景技術】
【０００２】
スーツケース等の鞄の周りに緊結される鞄締め付けベルトとしては、従来、特許文献１や特許文献２に記載されたものが知られている。特許文献１に記載の鞄の胴締めベルトは、着脱自在に連結されるバックルの雄体と雌体にベルト本体の一端部と他端部を脱離不能に連結したもので、雄体と雌体を連結することによって鞄周りに緊結される。ベルト本体により形成される閉ループのサイズはコキによってベルト本体の長さを調節することにより決定され、鞄周りに巻いた状態のままでのコキによるベルト本体の伸縮操作は一般に困難であるため、一旦ベルト本体を鞄周りに適宜巻回して調節すべき長さの目安を覚えた後、鞄から外して長さ調節し、再度巻回させることによって緊結される。
【０００３】
また、特許文献２に記載のスーツケース用緊締ベルトは、緊締ベルトの基端に一対の長方形緊締環を連結したもので、この長方形緊締環に緊締ベルトの末端側を係止することによって閉ループ状にされる。長方形緊締環への緊締ベルト末端側の係止は、長方形緊締環の一対に連続して緊締ベルトの末端を通したのち、折り返して長方形緊締環の一方のみに緊締ベルトの末端を再度通す、すなわち長方形緊締環の一対に所定の手順で緊締ベルトの末端を挿通させることによってなされ、鞄に巻き付けた状態で末端側を長方形緊締環から可能な限り引っ張り出すことにより、緊締ベルトによって形成される閉ループが緊結されるサイズに調節される。
【特許文献１】特開２００７-６３８３０号公報
【特許文献１】特開２００５-３３４５８８号公報
【発明の開示】
【発明が解決しようとする課題】
【０００４】
しかしながら、ベルトを鞄周りに緊結させるに際し、上記特許文献１記載の従来例は、上述したようにベルト本体を鞄に巻き付けた後、一旦取り外すなどの作業が必要で、手間がかかるという欠点がある。これに対し特許文献２記載の従来例ではこのような手間を省くことはできるが、この従来例の場合、緊結ベルト末端側の一対の長方形緊締環との連結機構がやや複雑で、この点において新たに手間が生じてしまう上に、誤操作を招いてしまうという問題がある。
【０００５】
本発明は、以上の欠点を解消すべくなされたものであって、使い勝手の良好な鞄締め付けベルトの提供を目的とする。
【課題を解決するための手段】
【０００６】
本発明によれば上記目的は、
レバー１の一端部１ａをベルト係合部２に係合するベルト体３に接触させてベルト係合部２からの係合解除方向へのベルト体３の移動に伴って生じる摩擦力によってベルト係合部２にベルト体３を圧接させる方向にレバー１を回転させ、鞄４周りに巻回されたベルト体３の弛緩を防止するバックル５を有し、
該バックル５には、レバー１の回転軸線Ａ方向に対して略直交する側壁部６の頂部６ａよりも低い位置から側方に向かって突出し、鞄４の装着面４ａにほぼ平行な回転軸線Ａ周りに回転するレバー１を一端部１ａがベルト体３から離間する方向に回転操作可能な操作部７が形成される鞄締め付けベルトを提供することにより達成される。
【０００７】
本発明によれば、ベルト体３は、バックル５によって長手方向の任意の位置を拘束されて閉ループのサイズを鞄４周りに緊結できる程度に調節される。ベルト体３の拘束は、回転するレバー１の一端部１ａによってベルト体３をベルト係合部２に圧接させる方向に押圧し、ベルト係合部２とレバー１の一端部１ａとで挟み付けてなされる。このレバー１は、一端部１ａをベルト体３のベルト係合部２に対する反対面に接触させることにより、ベルト体３のベルト係合部２からの係合解除方向への移動に伴って生じる摩擦力によって、ベルト体３をベルト係合部２に圧接させる方向に回転する。
【０００８】
したがって例えば後述する実施の形態に示すように、バックル５に対して予め一端部が連結されたベルト体３を鞄４周りに巻回し、その他端部側の長手方向の任意位置をベルト係合部２に係合させるとともにレバー１に接触させることにより、ベルト体３の一端部から長手方向任意位置までの長さをほぼ周長とする閉ループを形成することができる。ベルト体３にベルト係合部２からの係合解除方向への力が加わっても、レバー１との間に生じる摩擦により回転するレバー１によってベルト体３がベルト係合部２に圧接されて当該方向への移動が禁止され、鞄４周りに巻回されたベルト体３の弛緩が防止され、ベルト体３による鞄４周りの緊結が維持される。また、ベルト体３のベルト係合部２からの係合解除方向に対する反対方向、すなわち閉ループのサイズを小さくする方向への移動は、レバー１にその一端部１ａがベルト体３から離間する方向への回転力を付与する摩擦力を生じさせるに過ぎないために、妨げられることなく自由に行うことができる。
【０００９】
したがって本発明によれば、鞄４周りに巻回したベルト体３の自由端部側をレバー１とベルト係合部２との間から可能な限り引き出すだけで、ベルト体３を鞄４周りに簡単に緊結させることができる。また、ベルト体３を引き出す際にレバー１を一端部１ａがベルト係合部２から離間する方向に操作すれば、緊結操作を極めて楽に行うことができる。さらに、ベルト体３の自由端側を拘束する機構は、回転するレバー１とベルト係合部２との間で挟持するだけと極めて簡単であるために、直感的に把握でき、機械的な機構にあまり詳しくない利用者でも安心して、迅速に鞄４の締め付け作業を進めることができる。
【００１０】
また、ベルト体３の鞄４周りへの緊結は、帯状に形成されるベルト体３の平面部を鞄４の表面に沿わせて行うことが外観、緊結しやすさの面で有効であり、上述したレバー１の回転軸をバックル５の鞄４における装着面４ａに対して平行にすれば、幅広のベルト体３を拘束するレバー１の鞄４表面からの突出高さを比較的低く抑えることができ、また、ベルト体３を捩ることなく良好に鞄４周りに緊結させることができる。
【００１１】
さらに、上述したベルト体３のバックル５による拘束の解除は、一端部１ａがベルト体３、あるいはベルト係合部２から離間する方向にレバー１を回転させることによって行うことができる。上述したようにレバー１の回転軸を鞄４の装着面４ａに平行に配置する本発明において、ベルト体３から一端部１ａが離間する方向にレバー１を回転操作する操作部７は、レバー１の回転軸線Ａ方向に対して略直交するバックル５の側壁部６の頂部６ａよりも低い位置から側方に向かって突出し、これによりベルト体３の鞄４周りでの不測の弛緩が防止される。
【００１２】
すなわち、上述したように鞄４の装着面４ａにほぼ平行な回転軸線Ａ周りにレバー１を回転自在にし、レバー１の一端部１ａとベルト係合部２との間から可能な限り引き出すだけでベルト体３を鞄４周りに簡単に緊結できるようにする場合において、一端部１ａがベルト体３から離間する方向にレバー１を簡単に回転操作するためには、単に操作対象たるレバー１自体に操作部分を設け、この操作部分の回転軸線Ａからの距離を長くして小さな操作力で操作できるようにすることが一般に想起される。しかしながら、このように鞄４の装着面４ａにほぼ平行な回転軸線Ａ周りの操作可能な位置に操作部分を設けてしまうと、鞄４運搬時に操作部分が他の何らかのものに衝突するなどしてベルト体３が緩むおそれがあり、上述したように操作部分の回転軸線Ａからの距離を長くして大きな操作力を必要としないようにし、また、鞄４の目印という鞄締め付けベルトの性質上ベルト体３やこれに圧接するレバー１を幅広に形成すれば、この問題がより顕著になる。
【００１３】
これに対し、操作部分への衝突による不測の動作を防止するカバーを設けることも可能であるが、この場合には、カバーを開閉操作しなければならないために、通常時の操作性、使い勝手が悪くなってしまう。
【００１４】
本願発明によれば、操作部７をバックル５の側壁部６の頂部６ａよりも低い位置で、かつ、側方に突出させることにより、図６に示すように、鞄４の表面と該表面から突出するバックル５の頂部６ａとを結ぶ断面三角形形状の領域内に操作部７を外部に露出させたまま衝突しないように隠すことができ、操作性、使い勝手を損ねることなく、かつ、鞄４運搬時の操作部７への衝突を有効に防止することができる。
【００１５】
また、上述したレバー１の一端部１ａのベルト体３に対する接触は、レバー１をその一端部１ａがベルト体３に接触する方向に付勢する付勢手段、例えばトーションスプリング１１をレバー１の回転軸周りに巻装することによって確保することができる。さらに、上述した操作部７は、回転操作によりレバー１を回転可能なハンドルとして、あるいは運動方向変換機構１０を設けて並進方向の操作力をレバー１の回転方向の操作力として変換することにより押しボタン９として、構成することができる。このように運動方向変換機構１０を設けた場合には、操作部７を反操作方向に維持する付勢手段１２を上述したレバー１のトーションスプリング１１と別個に設けることにより、それぞれの付勢手段１１、１２の付勢力を個別に設定することが可能になるために、運動方向の変換に起因する操作性の劣化を低減することができる。
【００１６】
また、上述したレバー１の不測の動作の防止は、ベルト体３を弛緩する方向へのレバー１の回転操作を禁止するロック部８をバックル５に設けることによっても同様に達成することができる。レバー１の回転操作の規制は、上述した操作部７の操作を規制して行うほか、レバー１自体の回転を規制して行うことも可能である。
【発明の効果】
【００１７】
以上の説明から明らかなように、本発明によれば、使い勝手の良好な鞄締め付けベルトを提供することができ、鞄の携行を伴う旅行をより快適にすることができる。
【発明を実施するための最良の形態】
【００１８】
図１（ａ）に示すように、鞄締め付けベルトは、ベルト体３と、ベルト体３を閉ループ状に連結するバックル５とを有し、予めバックル５に一端部が連結されたベルト体３の他端部側の任意位置をバックル５により拘束してベルト体３によって任意サイズの閉ループを形成する。ベルト体３は、例えばアクリルからなる糸を編み込むことにより幅５０ｍｍあるいは６０ｍｍ、長さ２ｍ程度の帯状に形成され、ラッチ等によって適宜閉塞された鞄４が無理に開いてしまうような強い衝撃を受けても容易に切断しない程度の強度を備える。
【００１９】
上記バックル５は、ケース２０に対してレバー１を回動自在に連結して形成され、ケース２０には、ベルト体３の一端部が脱離不能に連結される固定軸部２１、および他端部側の任意位置が着脱自在に連結される連結軸部（ベルト係合部２）が形成される。この固定軸部２１および連結軸部２は、ベルト体３の幅寸法よりもやや長寸で、図１（ａ）、（ｂ）、および図２（ａ）に示すように、ベルト体３が巻き付けられるようにして係合される。固定軸部２１に対するベルト体３の連結は、固定軸部２１で折り返されたベルト体３の一端をベルト体３の折り返し基端部分に縫着することによりなされ、連結軸部２に対しては、該連結軸部２に係合されたベルト体３の他端部側の任意位置をレバー１の一端部１ａで連結軸部２側に圧接させてなされる。
【００２０】
上記ケース２０は、対向位置に配置される上記固定軸部２１と連結軸部２の両端同士を一対の側壁部６、６’で連結した平面視ぼぼ矩形形状の枠体であり、合成樹脂材によって一体成形される。鞄４周りに緊結されるベルト体３を固定軸部２１や連結軸部２に巻き付けたときにベルト体３によってケース２０が鞄４表面から浮き上がってしまわないように、固定軸部２１や連結軸部２は、側壁部６の頂部６ａや底部６ｂに対して少なくともベルト体３の厚さ程度の間隔を隔てる。また、各側壁部６には、上記レバー１を回動自在に支持するレバー連結部２２が対向位置に形成される。レバー連結部２２は、各側壁部６を貫通する断面円形の貫通孔２２ａと、ケース２０の中央の開口に面する両側壁部６の内壁面を側壁部６の頂部６ａから貫通孔２２ａが穿孔される部位まで貫通孔２２ａと同程度の幅で上下に彫り込んで形成されるガイド溝２２ｂとを有する。このガイド溝２２ｂは、貫通孔２２ａ近傍において貫通孔２２ａに近づくにしたがって漸次深さが浅くなるように形成される。
【００２１】
一方、上記レバー１は、合成樹脂材により一体成形され、図１（ｂ）、図２（ａ）ないし（ｄ）に示すように、先端部に鋸歯状の噛み込み部２３が形成されたレバー本体２４の基端部に回転軸部２５を配置して形成される。レバー本体２４は、上述した側壁部６、６’間にほぼ収まる程度のベルト体３よりやや広い幅寸法を備え、円柱形状の回転軸部２５が基端部において両側方から上述した貫通孔２２ａにしっかり挿入できる程度の長さまで突出する。このレバー本体２４の回転軸部２５から噛み込み部２３までの距離、すなわちレバー長は、ケース２０の貫通孔２２ａに挿入した回転軸部２５周りにレバー１を回転させたときに、連結軸部２に係合するベルト体３に噛み込み部２３が適宜干渉できる程度にされ、連結軸部２と同じ程度の高さ位置に配置される回転軸部２５、回転軸線Ａ周りにレバー１を回転させて連結軸部２の曲面をなす外面に対して噛み込み部２３をできる限り柔軟に正対させるために、レバー本体２４は、噛み込み部２３が干渉する回転方向に向かって凹状をなす側面視くの字状に形成され、噛み込み部２３が回転により連結軸部２に係合するベルト体３に噛み込みやすくされる。
【００２２】
以上のレバー本体２４は、基端部の幅方向一部を切り欠いて回転軸部２５と同心のバネ巻き部２４ａが形成され、該バネ巻き部２４ａにコイル部１１ａを巻装させたトーションスプリング１１によって連結軸部２に係合するベルト体３の表面に噛み込み部２３が接触する方向に付勢される。図２（ａ）に示すように、トーションスプリング１１の一端はレバー本体２４のバネ受け部２４ｂに係止され、他端はケース２０に係止されてレバー本体２４の噛み込み部２３側が上方から下方に、すなわち側壁部６の頂部６ａから底部６ｂに向かう回転方向に付勢される。したがってレバー１は、図２（ａ）に実線で示すように、トーションスプリング１１の付勢力によって噛み込み部２３を連結軸部２に係合するベルト体３に接触させる接触位置に保持され、付勢力に抗して図において時計回りに回転させることにより、ベルト体３の表面から離れる離間位置に移動することができる。
【００２３】
したがってレバー１が接触位置をとるときには、連結軸部２に係合するベルト体３を引っ張っても、ベルト体３との間に生じる摩擦、あるいは噛み込みによってレバー１に離間位置から接触位置に向かう回転を生じさせる引っ張り方向であれば、噛み込み部２３がベルト体３により深く噛み込むことによりベルト体３の移動は規制され、逆に、図２（ｂ）に２点鎖線で示すように、レバー１を離間位置に向かって回転させる引っ張り方向（図における矢印方向）であれば、ベルト体３を連結軸部２に対して自由に相対移動させることができる。
【００２４】
また、レバー本体２４の回転軸部２５を挟んだ噛み込み部２３の反対側には、レバー本体２４に回転操作力を与えるための被操作部２６が形成され、バックル５には、被操作部２６を介してレバー１の噛み込み部２３を連結軸部２に係合するベルト本体の表面から遠ざける方向に操作可能な押しボタン９が形成される。上記被操作部２６は、回転軸部２５を挟んだ噛み込み部２３の反対側に舌片２６ａを延設し、上述したトーションスプリング１１の付勢方向に向かって上記舌片２６ａから押圧部２６ｂを突出させて形成される。この押圧部２６ｂは、図１や図２に示すように、ピン状に形成され、その先端は半球状をなす。
【００２５】
上記押しボタン９は、図２（ｃ）に示すように、ケース２０の側壁部６から側方に向かって操作位置と反操作位置との間を進退自在に形成される。ケース２０の側壁部６の一方には押しボタン９が挿通されるボタン挿通孔２０ａが開設され、押しボタン９の終端が側壁部６から突出する反操作位置よりもさらに外方に突出して押しボタン９が脱抜されてしまうことを防止するために、押しボタン９の周縁には、操作位置において側壁部６の内壁面に衝接する抜け止め片９ａが設けられる。この抜け止め片９ａは、操作位置から反操作位置に向かって漸次突出高さが増大する傾斜面を備え、ボタン挿通孔２０ａの内壁には、抜け止め片９ａをボタン挿通孔２０ａ内に圧入によって容易に挿入できるように、抜け止め片９ａと同一方向に傾斜するガイド面２７が形成される。
【００２６】
また、上記押しボタン９のボタン挿通孔２０ａからの挿入先端を支持し、上述した被操作部２６に操作力を安定して伝達できるようにするために、ケース２０のボタン挿通孔２０ａが開設される側壁部６に対して対向する他方の側壁部６には、ボタン受け２８が形成される。ボタン受け２８は、図２（ｃ）および図３（ａ）に示すように、断面矩形の押しボタン９よりもひとまわり大きい矩形断面の中空部を有する筒形状で、上記他方の側壁部６’からボタン挿通孔２０ａに向かって突出し、内部に挿入される押しボタン９の先端を支承する。このボタン受け２８の内部には、押しボタン９を反操作方向に付勢する圧縮コイルバネ（付勢手段１２）と、この圧縮コイルバネ１２の図示省略されるコイル部を押しボタン９の進退方向に支持するバネ受け突起２８ａが形成される。
【００２７】
以上のようにして反操作位置から圧縮コイルバネ１２の付勢力に抗して押しボタン９を操作位置まで押圧操作したときに、上述した押圧部２６ｂを介してレバー１に回転操作力を与えることができるように、押しボタン９にはレバー操作部２９が形成される。レバー操作部２９は、図２（ｃ）等に示すように、押しボタン９のボタン挿通孔２０ａへの挿入先端から挿入基端に向かって漸次押圧部２６ｂ側への突出寸法が増大する傾斜面からなり、押しボタン９の反操作位置から操作位置への移動に伴って押圧部２６ｂを下方に押し下げる。
【００２８】
したがって押しボタン９を操作位置に押し込むと、図２（ｃ）および（ｄ）に示すように、回転軸部２５を挟んで噛み込み部２３の反対側に形成される押圧部２６ｂを押し下げることができ、これにより噛み込み部２３が押し上げられてベルト体３の表面から離間する。押しボタン９への押圧操作力は、斜面からなるレバー操作部２９とこれに球面で接する押圧部２６ｂとの間で運動方向を変換され、レバー１を離間位置側に回転させる回転操作力として働く。
【００２９】
また、以上の押しボタン９による操作レバー１の不測の誤動作を防止するために、バックル５には、ロックスイッチ（ロック部８）が設けられる。ロックスイッチ８は、押しボタン９の進退方向に直交する図１（ ｂ）のＯＮ、ＯＦＦ位置間をスライド移動可能に形成され、ボタン受け２８部の上部に配置される。このロックスイッチ８は、ボタン受け２８部内に貫通する脚部３０を備え、ボタン受け２８部の上面には脚部３０を挿通可能な脚挿通孔２８ｂが開設される。この脚部３０は、ロックスイッチ８をケース２０に抜け止めする抜け止め脚３０ａと、押しボタン９の操作位置への移動を規制可能なロック脚３０ｂとを有して構成される。
【００３０】
抜け止め脚３０ａは、図３に示すように、脚挿通孔２８ｂへの挿入先端に折り返し部を備えて形成され、側縁を脚挿通孔２８ｂの側縁に摺接させてロックスイッチ８のボタン受け２８部からの抜け止め、およびスライド移動方向のガイドとして機能する。ロック脚３０ｂは、図２（ｃ）、および図４に示すように、抜け止め脚３０ａと同様に脚挿通孔２８ｂの側縁に摺接するレール部３１と、このレール部３１の先端に形成され、押しボタン９の挿入先端面に衝接してボタン受け２８部の中空部内への押しボタン９挿入先端の進入、すなわち押しボタン９の操作位置への移動を規正するロック片３２とを有する。
【００３１】
ロックスイッチ８がＯＮ位置をとるときには、図３（ａ）および図４（ａ）に示すように、ロック片３２は押しボタン９の操作位置から外れており、押しボタン９をスライドしてＯＦＦ位置にすれば、移動したロック片３２が反操作位置をとる押しボタン９挿入先端に対峙して押しボタン９の操作位置への移動、押圧操作を規制する。なお、上記ボタン受け２８の上面には押しボタン９のＯＮ、ＯＦＦ位置に対応する２条のクリック溝２８ｃ、２８ｃが形成され、スライド操作に伴ってロックスイッチ８のクリック突起８ａと弾発的に係合、係合解除することにより、ロックスイッチ８を操作位置、反操作位置に適宜保持することができる。
【００３２】
以上の鞄締め付けベルトは、ガイド溝２２ｂを介してレバー１の回転軸部２５をケース２０の貫通孔２２ａに圧入させた後、ケース２０の脚挿通孔２８ｂにロックスイッチ８の抜け止め脚３０ａを圧入し、さらにこの後、ロックスイッチ８のロック脚３０ｂをＯＮ位置に合わせてからケース２０のボタン挿通孔２０ａに押しボタン９を圧入して形成される。各部品が弾性変形容易な合成樹脂材により形成され、弾性変形を利用して弾発的に組み付けられることにより、組み立て作業に手間がかかることはない。この後、ケース２０の固定軸部２１にベルト体３の一端部１ａを連結すれば、鞄締め付けベルトが完成する。
【００３３】
図５に示すように、スーツケース２０などの鞄４の周囲にベルト体３を巻き、連結軸部２とレバー１の噛み込み部２３の間にベルト体３の自由端３ａを通して可能な限り引っ張り出せば、ベルト体３を鞄４周りに緊結させることができる。ベルト体３の自由端３ａの連結軸部２と噛み込み部２３との間への挿通は、一旦押しボタン９を押圧してレバー１を離隔位置にすることにより容易に行うことができ、自由端３ａをバックル５の底面側から表面側に向かって引き出せば、引っ張り作業を簡単に行うことができる。引っ張り出した自由端３ａは、連結軸部２で折り返してベルト体３の他端側の中間部が挿通されるネームケース３３に重ねるようにして挿通させることにより、ぶらつくことはない。なお、図５等において３４は鞄４の取手である。
【００３４】
また、ベルト体３の緊結に際しては、一旦押しボタン９を操作してベルト体３の自由端３ａを連結軸部２と噛み込み部２３との間に挿入させれば、以後押しボタン９の押圧操作を解除しても、引っ張り方向、すなわち鞄４周りにベルト体３が緊結される方向への自由端３ａの引き出しは、ベルト体３の引き出し操作が許容されるレバー１の離隔位置側への回転を生じさせるに過ぎないために許容される。反対にベルト体３が緩む方向の移動は、レバー１の接触位置側への回転を伴うために禁止され、したがって緊結作業を簡単に進めることができる。さらに、自由端３ａの引っ張り方向は、上述した従来例における一対の長方形緊締環を用いる場合におけるように制限されないために、緊結作業をより簡単に行うことができる。
【００３５】
なお、ベルト体３の自由端３ａをバックル５から引っ張り出す際に押しボタン９を押しておけば、レバー１を付勢力に抗して離隔位置側に回転させる操作力が必要ないために、より楽に自由端３ａを引っ張ることができる。また、上述したように噛み込み部２３が連結軸部２に係合するベルト体３の表面に接触する方向にレバー１を付勢するトーションスプリング１１と、押しボタン９を反操作位置に付勢する圧縮コイルバネ１２とを別個に構成しているために、トーションスプリング１１の弾性力を弱く設定しておけば、押しボタン９を操作せずとも比較的楽に緊結作業を進めることができる。
【００３６】
鞄４周りにベルト体３を緊結させた状態で、側壁部６の底面６ｂが鞄４の表面に沿うようにして底面を鞄４の装着面４ａに密着させるバックル５は、側壁部６の頂部６ａよりも低い位置にレバー１が位置するために、図５に２点鎖線で示すように、隣接して運搬される他の鞄４’の表面に対してその表面が接触してもレバー１が不用意に回転することはなく、ベルト体３が容易に緩むことはない。また、鞄４、４’同士が上下に重ねられたり、隣接する他の鞄４’が傾いたりしても、図６に示すように、バックル５の側方にその頂部６ａよりも低い位置から突出する押しボタン９は、他の鞄４’の表面とバックル５の頂部６ａとの間に生じる隙間３４に隠れ、誤って操作されることが防止される。さらに、ロックスイッチ８をＯＦＦ位置に合わせておけば、押しボタン９の不測の動作を確実に防止することができる。
【００３７】
鞄４を開けたいときには、ロックスイッチ８をＯＮ位置に合わせた状態で押しボタン９を操作してベルト体３の自由端３ａ側の拘束を解除すればよく、例えば、バックル５の両側方を片手で握ると同時に押しボタン９を押圧すれば、この後、連結軸部２側を引き上げるようにしてバックル５を引き起こすだけで、両手を用いることなく簡単に鞄締め付けベルトを鞄４周りで緩め、鞄４から取り外すことができる。
【図面の簡単な説明】
【００３８】
【図１】本発明を示す図で、（ａ）は全体斜視図、（ｂ）はバックル部分の正面図で、ベルト体の一部を破断してベルト体とバックルとの連結状態を説明した図である。
【図２】レバーの動作を説明する図で、（ａ）は図１（ｂ）の２Ａ-２Ａ線断面図、（ｂ）はベルト体にレバーが噛み込む状態を説明する要部断面図、（ｃ）は図１（ｂ）の２ｃ-２ｃ線断面図で、押しボタンでレバーを操作する前の状態を示す図、（ｄ）は押しボタンでレバーを操作した状態を説明する要部断面図である。
【図３】（ａ）は図２（ｃ）の３Ａ-３Ａ線断面図、（ｂ）は（ａ）の３Ｂ-３Ｂ線断面図である。
【図４】（ａ）は図３（ａ）の４Ｂ-４Ｂ線断面図で、ロックスイッチをＯＮ位置にしたときを示す図、（ｂ）は（ａ）に対応する図で、ロックスイッチをＯＦＦ位置にしたときを示す図、（ｃ）は図３（ａ）に対応する図で、ロックスイッチをＯＦＦ位置にしたときを示す図である。
【図５】鞄への装着状態を示す図で、側面図である。
【図６】鞄同士が重ねられた状態を示す図で、（ａ）は平面図、（ｂ）は（ａ）の要部拡大図である。
【符号の説明】
【００３９】
１    レバー
１ａ  一端部
２    ベルト係合部
３    ベルト体
４    鞄
４ａ  装着面
５    バックル
６    側壁部
６ａ  頂部
７    操作部
８    ロック部
９    押しボタン
１０    運動方向変換機構
１１    トーションスプリング
１２    付勢手段
Ａ    回転軸線
【図１】
2008307267.tif 000003
【図２】
2008307267.tif 000004
【図３】
2008307267.tif 000005
【図４】
2008307267.tif 000006
【図５】
2008307267.tif 000007
【図６】
2008307267.tif 000008